(57)【特許請求の範囲】
【請求項１】
3相交流発電機装置から出るR，S，T 各線間に交流100Vドライヤーを
負荷する構成とした３相交流負荷試験機であって、次の条件を更に備える
ことを特徴とする３相交流負荷試験機。
Ａ，前記ドライヤーは、抵抗線と送風ファンを一式にしたものであること。
Ｂ，前記ドライヤーを接続する為のソケット（つまりレセプタクル）を含む
配線一式を用いること。
Ｃ，前記ＡとＢとの条件のもとで前記３相交流負荷試験機を構成することに
より、前記ドライヤーを取り外し可能とし、前記三相交流負荷試験機の全体を
組立て分解可能とし、しかも、その３相交流負荷試験機自体の持ち運びを容易
にすること。
【発明の詳細な説明】
【技術分野】
【０００１】
本発明は、相間電圧200V以上の３相交流負荷試験機において市販100Vヘヤードライヤーを使用した３相交流負荷試験機に関するものである。
【背景技術】
【０００２】
水抵抗負荷試験機においては水槽の持ち運び、管理、攪拌装置或いは水の調達等手間ひまかかりすぎ等で使用するのが敬遠される。ニクロム線負荷試験機に於いては構成抵抗器は手作りで、ニクロム線をコイル状に巻き且つそれの巻きつき防止、ゆれ防止、冷却等から装置が大きく重たい物になる欠点がある。それ故使用するのが敬遠される。更に、客先で設置場所等使用制限されることが多々ある。
【先行技術文献】
【特許文献】
【０００３】
【特許文献１】特開平６−１２００２号公報
【発明の概要】
【発明が解決しようとする課題】
【０００４】
本発明者は３相交流負荷試験機の構成部品を徹底的に調査し容易なとり回しに貢献できる部品は無いか、諸々にかかる費用の軽減に貢献できる部品は無いか調査した結果ヘヤードライヤーに辿り着きそれを回路構成部品として使用に成功、同時にそれらを結合分離し易いようにする配線及び器具も考案、これらを含め本発明として、ここに提案するものである。ここで使用するヘヤードライヤーとは抵抗線と送風ファン一式にし手に持て且つ商品化されたものである。  同等の形状、作用するものも同一商品とみなす。
上記回路構成物を取り付ける衝立架台、それを収納する容器も工夫、全体を収納、移動可能にした。
【課題を解決するための手段】
【０００５】
本発明に係る３相交流負荷試験機は次の（１）、（２）、（３）及び（４）に記載のものである。
（１）３相交流R,S,T各線間に交流100Vヘヤードライヤーを負荷構成する３相交流負荷試験機。
（２）３相交流R,S,T各線とそれらが形成する中点Oの間に交流100Vヘヤードライヤーを負荷構成する３相交流負荷試験機。  
（３）組立て分解可能な３相交流負荷試験機。
（４）容器への収納が可能な構造の３相交流負荷試験機。
【発明の効果】
【０００６】
本発明は法律に則って試験を受け、携帯携行品として生産されている軽量、小型、堅固、安価な量産販売商品携帯へヤードライヤーを部品として使用して組み立てている為完成した負荷試験機も軽量、小型、堅固、安価な物になった。
【０００７】
回路を分離結合する配線一式図２か図１０差込接続器具図３、図４か図１１を使用、衝立架台２２，７３に該へヤードライヤー群２１，７２を配置、取り付け取り外し簡単な仕組み、構造にしてある。一つの衝立架台は最低でも最小単位のデルタ結線、スター結線の負荷抵抗値が構成される。負荷試験機一式は最小単位の集合和で、持ち運べる任意の物を作ることが出来る。
【０００８】
移動に際しては、ヘヤードライヤー群２１，７２を取り付けた数機の衝立架台２２，７３を収納容器２３，７４に入れるか衝立架台からそのドライヤーを外しそれを収納容器に入れるかする。この時デルタ結線では配線一式図２か差込接続器具図３か図４、スター結線では配線一式図１０か差込接続器具図11と調整抵抗器図１２を必要数同梱。負荷試験機１式容器に入れて簡単に持ち運ぶ事が可能となり、狭い場所高所、地下等での使用制限のおそれが少なくなった。今までこの様なものは無い。
【図面の簡単な説明】
【０００９】
【図１】実施例１のデルタ結線方式の構成図
【図２】図１の配線一式の構成図
【図３】図２の差込接続器具
【図４】図２の差込接続器具
【図５】デルタ結線負荷試験機を収納容器に入れた側面図
【図６】図５の平面図
【図７】デルタ結線負荷試験機例を収納容器に入れた側面図
【図８】図７の平面図
【図９】実施例２のスター結線方式の構成図
【図１０】図９の配線一式の構成図
【図１１】図１０の差込接続器具
【図１２】スター結線で使用する調整抵抗器
【図１３】スター結線負荷試験機を収納容器に入れた側面図
【図１４】図１３の平面図
【発明を実施するための形態】
【００１０】
200V３相交流発電装置の負荷吸収は２通りあり大容量では図１小容量では図９のようになる。大容量を吸収させるデルタ結線一回路の構成は各相間RS,ST,TRに100Vヘヤードライヤー２個直列に入れ200V負荷を吸収させる。小容量を吸収させるスター結線一回路の構成は３相の中点Oを電気的に作るとRO,SO,TOにかかる各電圧は115Ｖとなり、ここに100Vヘヤードライヤーと15V調整抵抗器を入れて負荷吸収させる。この様にして100Vヘヤードライヤーを使用した３相200V一回路の負荷吸収が解決する。ここで注意することは負荷吸収させる一回路のヘヤードライヤーは同一メーカーで性能、品質を揃え各相均等に負荷吸収させる事。次に、持ち運びを容易にするにはドライヤーの並べ方と取り付け架台の形状吟味あわせて行い配線一式図２か図１０か差込接続器具図３か図４か図１１どれか一種類、ドライヤー群２１か７２どちらか一種類、衝立架台２２か７３どちらか一種類を選択し一緒に収納する収納容器２３か７４を作成する。配線一式、差込接続器具には開閉器13,57内蔵で負荷の増減を容易にする。
【実施例１】
【００１１】
図１はこの発明に係る発電装置と負荷試験機２０の回路上の関係図でデルタ結線に関するものを表し、負荷試験機２０が実施例１である。
【００１２】
負荷試験機２０はヘヤードライヤー（１〜６）、配線一式図２それを取り付ける衝立架台２２とに分かれる。移動する時はヘヤードライヤー、配線一式、衝立架台をバラバラにし収納ケースに入れる。
【００１３】
構成で使用するヘヤードライヤー（１〜６）は３相RS,ST,TRの相間負荷吸収を均等にする必要上、同一メーカー同一性能のものでなければならない。結線の仲介を導線14で接続されたソケット7〜12が行う。
【００１４】
ヘヤードライヤーを３相負荷試験機として作用させる為の配線一式を図２に示す。  
【００１５】
使用へヤードライヤー（１〜６）を実体配線上で固定するのではなく配線一式図２を筐体19に入れ器具化した差込接続器具図３か図４で接続するので取り付け分解がより簡単になる。筐体19には設置穴18が設けてある。分解し収納容器２３に収納することが可能となるので移動容易な負荷試験機が提供できる。
【実施例２】
【００１６】
図９はこの発明に係る発電装置と負荷試験機７１の回路上の関係図でスター結線に関するものを表し、負荷試験機７１が実施例２である。
【００１７】
負荷試験機７１はヘヤードライヤー（51〜53）と配線一式図１０調整抵抗器図１２それを取り付ける衝立架台７３とに分れる。移動する時はヘヤードライヤー、配線一式、衝立架台をバラバラにし収納ケースに入れる。
【００１８】
構成で使用するヘヤードライヤー（５１〜53）は３相RS,ST,TRの相間負荷吸収を均等にする必要上、同一メーカー同一性能のものでなければならない。結線の仲介を導線58で接続されたソケット54〜56が行う。
【００１９】
ヘヤードライヤーを３相負荷試験機として作用させる為の配線一式を図１０に示す。
【００２０】
使用へヤードライヤーとそのドライヤーに掛かる電圧を調整する調整抵抗器図１２を実態配線上で固定するのではなく配線一式図１０を筐体66に入れ器具化した差込接続器具図１１で接続するので取り付け分解がより簡単になる。筐体66には設置穴65が設けてある。分解し収納容器に収納することが可能となるので移動容易な負荷試験機が提供できる。
【符号の説明】
【００２１】
1〜６        ヘヤードライヤー
７〜１２     ソケット
13            開閉器
14            導線        
15〜17        端子
18            穴
19            筐体
20            負荷試験機
21            ヘヤードライヤー群
22            衝立架台
23            容器
51〜53        ヘヤ-ドライヤー
54〜56        ソケット
57            開閉器
58            導線
59〜64        端子
65            穴
66            筐体
67            調整抵抗器
68〜70        端子
71            負荷試験機
72            ヘヤードライヤー群
73            衝立架台
74            容器
【図１】
0006010287.tif 000002
【図２】
0006010287.tif 000003
【図３】
0006010287.tif 000004
【図４】
0006010287.tif 000005
【図５】
0006010287.tif 000006
【図６】
0006010287.tif 000007
【図７】
0006010287.tif 000008
【図８】
0006010287.tif 000009
【図９】
0006010287.tif 000010
【図１０】
0006010287.tif 000011
【図１１】
0006010287.tif 000012
【図１２】
0006010287.tif 000013
【図１３】
0006010287.tif 000014
【図１４】
0006010287.tif 000015